(57)【特許請求の範囲】
【請求項１】
壁面に設けられた室内外を連通させる円筒状の風洞パイプを備え、前記風洞パイプの室外側に連通し、室外側壁面に設置されるフードを備え、前記フードは、室内から室外へ空気を排気する室外排気口及び室外から室内へ空気を給気する室外給気口を備え、前記フードは前記風洞パイプとの連結部分にフード外管を備え、前記フード外管の内側にフード内管を備えたことにより、前記フード内管の外側と前記フード内管の内側に別々の風路を構成し、前記風洞パイプの室内側から挿入して室内側壁面に設置される本体は、本体外管と前記本体外管の内側に本体内管を備え、室内から空気を排気する室内排気口及び排気送風機と室外より室内に空気を給気する室内給気口及び給気送風機を備え、前記本体内管と前記フード内管を接続する内管接続管を備えることにより前記室内排気口から前記排気送風機を経由して前記室外排気口を結ぶ排気風路と、前記室外給気口から前記給気送風機を経由して前記室内給気口を結ぶ給気風路を形成して換気を行う構成であり、前記内管接続管を取り付ける際に前記内管接続管によって前記本体内管と前記フード内管が接続されたことを認知できる認知手段を備え、
前記内管接続管が前記本体内管又は前記フード内管に接続されない場合は、前記本体を前記風洞パイプの室内側から挿入して前記室内側壁面に設置できない、又は前記フードが前記風洞パイプの室外側に連通して前記室外側壁面に設置できない構成とした施工漏れ防止手段を備えた同時給排形換気扇。
【請求項２】
内管接続管とフード内管の接続、未接続を検知する検知手段と、前記検知手段により未接続を検知した際には異常を報知する異常報知手段を備え、
排気送風機は、排気ファン及び排気モータで構成され、前記排気モータの回転により前記排気ファンを回転させて排気を行う機能を有し、給気送風機は、給気ファン及び給気モータで構成され、前記給気モータの回転により前記給気ファンを回転させて給気を行う機能を有し、検知手段として前記排気ファン及び前記給気ファンの回転数を検知する回転数検知手段を備え、前記異常報知手段として本体の室内側前面に異常を表示する表示部を備え、前記排気送風機と前記給気送風機を作動させた際に、前記排気ファンと前記給気ファンの少なくとも一方の回転数が一定の範囲を超えたことを検知した場合は、前記表示部に異常を表示するようにした請求項１記載の同時給排形換気扇。
【請求項３】
フード内管の内側から内部に向かって立設する複数の内側ダンパーと、前記フード内管の外側から外部に向かって立設する複数の外側ダンパーを備え、それぞれの前記内側ダンパーと前記外側ダンパーは同一のダンパー回転軸を有し、前記ダンパー回転軸は前記フード内管の円周上で且つ前記フード内管の軸方向に対して垂直に備えることで、前記内側ダンパーが前記ダンパー回転軸を中心に室外側に向かって傾斜すると前記外側ダンパーが連動して室外側に向かって傾斜することにより、前記フード内管の内側に形成する風路と前記フード内管の外側に形成する風路を同時に開閉できる構成とし、前記フード内管に内管接続管が挿入された際は前記内管接続管と前記内側ダンパーが接触し、前記内側ダンパーが室外側に向かって傾斜するとともに前記外側ダンパーが室外側に向かって傾斜することで前記フード内管の内側の風路と前記フード内管の外側の風路を同時に開くようにした請求項２記載の同時給排形換気扇。
【請求項４】
内管接続管を取り付ける際に本体内管からフード内管までの距離を測定できる測定手段を備え、前記測定手段にて測定された距離により前記内管接続管の長さを調節する請求項１乃至３のいずれか記載の同時給排形換気扇。
【請求項５】
内管接続管を伸縮自在に構成した請求項１乃至４のいずれか記載の同時給排形換気扇。
【請求項６】
伸縮自在な内管接続管として、伸縮自在な蛇腹を備え、本体内管及びフード内管との接続を固定できる固定部を備えた請求項５記載の同時給排形換気扇。
【発明の詳細な説明】
【技術分野】
【０００１】
本発明は、居室等の室内環境を同時給排形換気扇により２４時間常時換気を行う同時給排形換気扇に関するものである。
【背景技術】
【０００２】
従来、この種の同時給排形換気扇は、高気密高断熱住宅等の気密性の高い住宅の換気システムの同時給排気手段として天井に埋め込まれる形のものが知られている。
【０００３】
以下、その同時給排形換気扇の一例について図１２を参照しながら説明する。
【０００４】
図１２に示すように、住宅の天井裏に設置された本体１０１には、室内に向かって室外の空気を吹き出す室内給気口１０２と、室内の空気を吸い込む室内排気口１０３を備えたルーバー部１０４が天井面に沿って設置され、室内排気口１０３から室内の空気を室外に排気するべく備えた排気風路１０５内に遠心ファンの形状である排気ファン１０６と排気ケーシング１０７と排気ファン１０６を回転させるモータ１０８を内部に備えた構成であり、室外の壁面に設置されたフード１０９には、室内排気口１０３から排気される空気を室外へ吹き出す室外排気口１１０と、室内給気口１０２へ室外の空気を供給する空気を吸い込む室外給気口１１１を備えた構成であり、室内排気口１０３から室外排気口１１０までを接続する排気風路１０５を形成する排気ダクト１１２と、室内給気口１０２から室外給気口１１１までを接続する給気風路１１３を形成する給気ダクト１１４は、排気ダクト１１２を内管とし、給気ダクト１１４を外管とする二重管で構成されている。
【特許文献１】特開２００３ー１３０４１７号公報
【発明の開示】
【発明が解決しようとする課題】
【０００５】
このような従来の同時給排形換気扇では、本体とフードとを接続する二重管を施工する際に、接続箇所が外部に剥き出しとなっているため、内管を接続して接続状態を目視で認知した後に外管を接続することによって接続箇所に隙間が生じること無く、確実に施工できるが、本発明のように、住宅の壁面に室内外を連通する風洞パイプの室内側に本体を設置し、室外側にフードを設置して、風洞パイプ内で外管と内管からなる二重管を接続する場合は、内管と本体、及び内管とフードとの接続箇所が壁体の内部であるため、接続状態を認知することができないという課題があり、施工する際に接続状態を認知することが要求されている。
【０００６】
また、内管と本体、及び内管とフードとの接続箇所に隙間が生じ、給気と排気との短絡が発生しても、それを認知することができないという課題があり、接続箇所に隙間が生じ、給気と排気が短絡していることを認知することが要求されている。
【０００７】
本発明は、このような従来の課題を解決するものであり、施工する際に内管と本体、及び内管とフードとの接続状態を認知することで、接続箇所に隙間が生じることが無く、給気と排気との短絡が発生しない接続となる同時給排形換気扇を提供することを目的としている。
【課題を解決するための手段】
【０００８】
本発明の同時給排形換気扇は、上記目標を達成するために、壁面に設けられた室内外を連通させる円筒状の風洞パイプを備え、風洞パイプの室外側に連通し、室外側壁面に設置されるフードを備え、フードは、室内から室外へ空気を排気する室外排気口及び室外から室内へ空気を給気する室外給気口を備え、フードは風洞パイプとの連結部分にフード外管を備え、フード外管の内側にフード内管を備えたことにより、フード内管の外側とフード内管の内側に別々の風路を構成し、風洞パイプの室内側から挿入して室内側壁面に設置される本体は、本体外管と本体外管の内側に本体内管を備え、室内から空気を排気する室内排気口及び排気送風機と室外より室内に空気を給気する室内給気口及び給気送風機を備え、本体内管とフード内管を接続する内管接続管を備えることにより室内排気口から排気送風機を経由して室外排気口を結ぶ排気風路と、室外給気口から給気送風機を経由して室内給気口を結ぶ給気風路を形成して換気を行う構成であり、内管接続管を取り付けて施工する際に内管接続管と本体内管、及び内管接続管とフード内管が接続されたことを認知できる認知手段を備え、前記内管接続管が前記本体内管又は前記フード内管に接続されない場合は、前記本体を前記風洞パイプの室内側から挿入して前記室内側壁面に設置できない、又は前記フードが前記風洞パイプの室外側に連通して前記室外側壁面に設置できない構成とした施工漏れ防止手段を備えたものである。
【０００９】
この手段により施工する際に内管接続管と本体内管、及び内管接続管とフード内管との接続状態を認知することができ、接続箇所に隙間が生じることが無く、給気と排気との短絡が発生しない接続となる同時給排形換気扇が得られる。
【００１２】
また他の手段は、内管接続管とフード内管の接続、未接続を検知する検知手段と、検知手段により未接続を検知した際には異常を報知する異常報知手段を備え、排気送風機は、排気ファン及び排気モータで構成され、排気モータの回転により排気ファンを回転させて排気を行い、給気送風機は、給気ファン及び給気モータで構成され、給気モータの回転により給気ファンを回転させて給気を行う機能を有し、検知手段として排気ファン及び給気ファンの回転数を検知する回転数検知手段を備え、異常報知手段として本体の室内側前面に異常を表示する表示部を備え、排気送風機と給気送風機を作動させた際に、排気ファンと給気ファンの少なくとも一方の回転数が一定の範囲を超えたことを検知した場合は、表示部に異常を表示するようにしたものである。
【００１３】
また他の手段は、フード内管の内側から内部に向かって立設する複数の内側ダンパーと、フード内管の外側から外部に向かって立設する複数の外側ダンパーを備え、それぞれの内側ダンパーと外側ダンパーは同一のダンパー回転軸を有し、ダンパー回転軸はフード内管の円周上で且つフード内管の軸方向に対して垂直に備えることで、内側ダンパーがダンパー回転軸を中心に室外側に向かって傾斜すると外側ダンパーが連動して室外側に向かって傾斜することにより、フード内管の内側に形成する風路とフード内管の外側に形成する風路を同時に開閉できる構成とし、フード内管に内管接続管が挿入された際は内管接続管と内側ダンパーが接触し、内側ダンパーが室外側に向かって傾斜するとともに外側ダンパーが室外側に向かって傾斜することでフード内管の内側の風路とフード内管の外側の風路を同時に開くようにしたものである。
【００１７】
また他の手段は、内管接続管を取り付ける際に本体内管からフード内管までの距離を測定できる測定手段を備え、測定手段にて測定された距離により内管接続管の長さを調節するものである。
【００２１】
また他の手段は、壁面に設けられた室内外を連通させる円筒状の風洞パイプを備え、風洞パイプの室外側に設置されるフードを備え、フードは、室内から室外へ空気を排気する室外排気口及び室外から室内へ空気を給気する室外給気口を備え、フードは風洞パイプとの連結部分にフード外管を備え、フード外管の内側にフード内管を備えたことにより、フード内管の外側とフード内管の内側に別々の風路を構成し、風洞パイプの室内側から挿入される本体は、本体外管と本体外管の内側に本体内管を備え、室内から空気を排気する室内排気口及び排気送風機と室外より室内に空気を給気する室内給気口及び給気送風機を備え、本体内管とフード内管を接続する内管接続管を備えることにより室内排気口から排気送風機を経由して室外排気口を結ぶ排気風路と、室外給気口から給気送風機を経由して室内給気口を結ぶ給気風路を形成して換気を行う構成であり、内管接続管を伸縮自在に構成したものである。
【００２３】
また他の手段は、伸縮自在な内管接続管として、伸縮自在な蛇腹を備え、本体内管及びフード内管との接続を固定して接続できる固定部を備えたものである。
【発明の効果】
【００２９】
本発明によれば施工する際に内管接続管と本体内管、及び内管接続管とフード内管との接続箇所に隙間が生じることが無く、給気と排気との短絡が発生しない接続となるため、室内と室外との換気を確実に行うことができるという効果のある同時給排形換気扇を提供できる。
【発明を実施するための最良の形態】
【００３０】
本発明の請求項１記載の発明は、壁面に設けられた室内外を連通させる円筒状の風洞パイプを備え、風洞パイプの室外側に連通し、室外側壁面に設置されるフードを備え、フードは、室内から室外へ空気を排気する室外排気口及び室外から室内へ空気を給気する室外給気口を備え、フードは風洞パイプとの連結部分にフード外管を備え、フード外管の内側にフード内管を備えたことにより、フード内管の外側とフード内管の内側に別々の風路を構成し、風洞パイプの室内側から挿入して室内側壁面に設置される本体は、本体外管と本体外管の内側に本体内管を備え、室内から空気を排気する室内排気口及び排気送風機と室外より室内に空気を給気する室内給気口及び給気送風機を備え、本体内管とフード内管を接続する内管接続管を備えることにより室内排気口から排気送風機を経由して室外排気口を結ぶ排気風路と、室外給気口から給気送風機を経由して室内給気口を結ぶ給気風路を形成して換気を行う構成であり、内管接続管を取り付けて施工する際に内管接続管と本体内管、及び内管接続管とフード内管が接続されたことを認知できる認知手段を備えたことにより、施工する際に内管接続管と本体内管、及び内管接続管とフード内管の接続状態を認知することができ、接続箇所に隙間が生じることが無く、給気と排気との短絡が発生しない接続となるという作用を有する。また、内管接続管が本体内管又はフード内管に接続されない場合は、本体を風洞パイプの室内側から挿入して室内側壁面に設置できない、又はフードが風洞パイプの室外側に連通して室外側壁面に設置できない構成とした施工漏れ防止手段を備えたものであり、内管接続管を取り付けないまま施工することが無く、接続箇所に隙間が生じることを未然に防止でき、給気と排気との短絡が発生しない接続となるという作用を有する。
【００３３】
また、本発明の請求項２記載の発明は、内管接続管とフード内管の接続、未接続を検知する検知手段と、検知手段により未接続を検知した際には異常を報知する異常報知手段を備えたものであり、異常報知手段により内管接続管とフード内管が未接続の状態であることを認知した場合は、内管接続管の長さを調節して再度施工を行った後、検知手段により内管接続管とフード内管の接続を検知して異常報知手段が作動しないことで内管接続管とフード内管の接続状態を認知することができる。これにより、内管接続管と本体内管、及び内管接続管とフード内管の接続状態を認知することができ、接続箇所に隙間が生じることが無く、給気と排気との短絡が発生しない接続となるという作用を有する。また、排気送風機は、排気ファン及び排気モータで構成され、排気モータの回転により排気ファンを回転させて排気を行い、給気送風機は、給気ファン及び給気モータで構成され、給気モータの回転により給気ファンを回転させて給気を行う機能を有し、検知手段として排気ファン及び給気ファンの回転数を検知する回転数検知手段を備え、異常報知手段として本体の室内側前面に異常を表示する表示部を備え、排気送風機と給気送風機を作動させた際に、排気ファンと給気ファンの少なくとも一方の回転数が一定の範囲を超えたことを検知した場合は、表示部に異常を表示するようにしたものであり、内管接続管とフード内管が未接続となると給気と排気との短絡が発生するため、給気風路及び排気風路の通風抵抗が減少し、排気ファン及び給気ファンの回転数が変化することを回転数検知手段により検知し、排気ファン及び給気ファンの少なくとも一方の回転数が一定の範囲を超えた場合は、表示部により異常を表示することにより内管接続管と本体内管、及び内管接続管とフード内管の接続状態を認知することができ、接続箇所に隙間が生じることが無く、給気と排気との短絡が発生しない接続となるという作用を有する。
【００３４】
また、本発明の請求項３記載の発明は、フード内管の内側から内部に向かって立設する複数の内側ダンパーと、フード内管の外側から外部に向かって立設する複数の外側ダンパーを備え、それぞれの内側ダンパーと外側ダンパーは同一のダンパー回転軸を有し、ダンパー回転軸はフード内管の円周上で且つフード内管の軸方向に対して垂直に備えることで、内側ダンパーがダンパー回転軸を中心に室外側に向かって傾斜すると外側ダンパーが連動して室外側に向かって傾斜することにより、フード内管の内側に形成する風路とフード内管の外側に形成する風路を同時に開閉できる構成とし、フード内管に内管接続管が挿入された際は内管接続管と内側ダンパーが接触し、内側ダンパーが室外側に向かって傾斜しながら倒れるとともに外側ダンパーが室外側に向かって傾斜しながら倒れることでフード内管の内側の風路とフード内管の外側の風路を同時に開くようにしたものであり、内管接続管とフード内管が未接続となると、フード内管の内側と外側の風路が閉じられるため、給気風路及び排気風路の通風抵抗が増加し、排気ファン及び給気ファンの回転数が変化することを回転数検知手段により検知し、排気ファン及び給気ファンの少なくとも一方の回転数が一定の範囲を超えた場合は、表示部により異常を表示することにより内管接続管と本体内管、及び内管接続管とフード内管の接続状態を認知することができ、接続箇所に隙間が生じることが無く、給気と排気との短絡が発生しない接続となるという作用を有する。
【００３８】
また、本発明の請求項４記載の発明は、内管接続管を取り付ける際に本体内管からフード内管までの距離を測定できる測定手段を備え、測定手段にて測定された距離により内管接続管の長さを調節するものであり、内管接続管が本体内管とフード内管との距離よりも長い場合、測定手段により本体内管からフード内管までの距離を測定することで内管接続管を本体内管からフード内管までの距離に合わせた長さに切断して調節することができるため、内管接続管を取り付けて施工する際に内管接続管と本体内管、及び内管接続管とフード内管を確実に接続することができ、接続箇所に隙間が生じることが無く、給気と排気との短絡が発生しない接続となるという作用を有する。
【００４２】
また、本発明の請求項５記載の発明は、壁面に設けられた室内外を連通させる円筒状の風洞パイプを備え、風洞パイプの室外側に連通し、室外側壁面に設置されるフードを備え、フードは、室内から室外へ空気を排気する室外排気口及び室外から室内へ空気を給気する室外給気口を備え、フードは風洞パイプとの連結部分にフード外管を備え、フード外管の内側にフード内管を備えたことにより、フード内管の外側とフード内管の内側に別々の風路を構成し、風洞パイプの室内側から挿入して室内側壁面に設置される本体は、本体外管と本体外管の内側に本体内管を備え、室内から空気を排気する室内排気口及び排気送風機と室外より室内に空気を給気する室内給気口及び給気送風機を備え、本体内管とフード内管を接続する内管接続管を備えることにより室内排気口から排気送風機を経由して室外排気口を結ぶ排気風路と、室外給気口から給気送風機を経由して室内給気口を結ぶ給気風路を形成して換気を行う構成であり、内管接続管を伸縮自在に構成したものであり、内管接続管をあらかじめ伸ばした状態で施工を行うことで本体内管とフード内管までの距離に合わせて内管接続管が縮んで長さが調節されるため、内管接続管を取り付けて施工する際に内管接続管と本体内管、及び内管接続管とフード内管を確実に接続することができ、接続箇所に隙間が生じることが無く、給気と排気との短絡が発生しない接続となるという作用を有する。
【００４４】
また、本発明の請求項６記載の発明は、伸縮自在な内管接続管として、伸縮自在な蛇腹を備え、本体内管及びフード内管との接続を固定して接続できる固定部を備えたものであり、内管接続管をあらかじめ伸ばした状態で、固定部により内管接続管と本体内管、及び内管接続管とフード内管を接続した後に施工を行うことで本体内管とフード内管までの距離に合わせて内管接続管が縮んで長さが調節されるため、内管接続管と本体内管、及び内管接続管とフード内管を確実に接続することができ、接続箇所に隙間が生じることが無く、給気と排気との短絡が発生しない接続となるという作用を有する。
【００５０】
以下、本発明の実施の形態について図面を参照しながら説明する。
【００５１】
（実施の形態１）
図１は本発明の実施の形態１の同時給排形換気扇の構成を示す側面断面図、図２は本発明の実施の形態１の同時給排形換気扇の本体施工時を示す斜視断面図、図３（ａ）は本発明の実施の形態１の内側ダンパー及び外側ダンパーが開いた状態を示す斜視断面図であり図３（ｂ）は本発明の実施の形態１の内側ダンパー及び外側ダンパーが閉じた状態を示す斜視断面図、図４は本発明の実施の形態１の測定手段を示す側面断面図、図５は本発明の実施の形態１の内管接続管の薄肉部を示す断面図、図６は本発明の実施の形態１の複数の内管接続管の着脱状態を示す断面図である。
【００５２】
図１及び図２に示すように、住宅の壁面に室内外を連通するように設けられた貫通穴１に風洞パイプ２としての例えば塩ビパイプ（ＶＵ管呼び径１５０相当）が設置され、室内側から風洞パイプ２に挿入して室内側壁面に設置される本体３は、室内側前面に室内の空気を室外へ排気するための室内排気口４と、室外の空気を室内へ供給するための室内給気口５を備え、且つ風洞パイプ２に挿入され、外径を風洞パイプ２の内径に対して例えば２〜１０ｍｍ小さくした本体外管６と、本体外管６の内側に一例として直径約８０ｍｍ相当の本体内管７を持つ二重管で構成することで、本体内管７の内側と外側に別々の風路を形成することができ、本体内管７の内側風路を排気風路８として室内排気口４と連通し、本体内管７の外側風路を給気風路９として室内給気口５と連通している。
【００５３】
また、本体外管６を風洞パイプ２に挿入する際には、シール手段１０Ａとしての例えばゴムパッキンを本体外管６の外周に巻き付けた後に風洞パイプ２に挿入することにより風洞パイプ２の内側と本体外管６の外側の隙間がシール手段１０Ａにより密閉されている。
【００５４】
排気風路８となる本体内管７の内側には、排気送風機１１としての例えばプロペラファン又はターボファンの形状をした排気ファン１２及び排気モータ１３としての例えばＡＣコンデンサーモータを備え、排気モータ１３により排気ファン１２を回転させて排気を行うことができる。
【００５５】
また、排気送風機１１の室外側で且つ直列となるように給気送風機１４としての例えばプロペラファンの形状をした給気ファン１５及び給気モータ１６としての例えばＡＣコンデンサーモータを備え、給気ファン１５の直径は本体外管６の内径相当とし、給気ファン１５の一部には本体内管７の直径相当とした円筒状のボス部１７を備え、ボス部１７の内周側は軸方向に連通する空洞とすることで、給気モータ１６により給気ファン１５を回転させてもボス部１７の内周側は排気風路８として排気の空気を通過させつつ、給気ファン１５により本体内管７の外側に形成した給気風路９の給気を行うことができる構成となっている。
【００５６】
一方、風洞パイプ２の室外側に連通し、室外側壁面に設置されるフード１８は、下面に室内から排気される空気を排出する室外排気口１９を備え、フード１８の側面に室外の空気を取り込むための室外給気口２０を備えている。
【００５７】
また、風洞パイプ２とフード１８の連結部分には、風洞パイプ２の内径に対して外径を例えば２〜１０ｍｍ小さくしたフード外管２１と、フード外管２１の内側に一例として直径約８０ｍｍ相当のフード内管２２を持つ二重管で構成することで、フード内管２２の内側と外側に別々の風路を形成でき、フード内管２２の内側風路を排気風路８として室外排気口１９に連通させ、フード内管２２の外側風路を給気風路９として室外給気口２０に連通している。
【００５８】
また、風洞パイプ２とフード外管２１との連結部分には、シール手段１０Ｂとしての例えばゴムパッキンを介在させることにより、風洞パイプ２とフード外管２１との隙間がシール手段１０Ｂにより密閉されている。
【００５９】
さらに、フード内管２２の内側面には短絡防止手段２３としての例えばゴムパッキンを備え、本体内管７とフード内管２２を接続する管として、樹脂で形成され、一例として直径約７５ｍｍ相当の円筒状の内管接続管２４を備え、内管接続管２４とフード内管２２は短絡防止手段２３により隙間無く接続される構成とし、排気風路８は、室内排気口４から室外排気口１９まで連通され、給気風路９は、室内給気口５から室外給気口２０まで連通される。
【００６０】
上記構成により、風洞パイプ２と本体３とフード１８と内管接続管２４から成る同時給排形換気扇２５として、室内と室外の空気を同時に給排気することにより換気を常時行うため、室内にある有害物質（一例としてホルムアルデヒド）を室外に排出して、居住する人の健康を維持することができ、また、室外の空気を給気することで給気と排気の風量のバランスをとり、室内と室外の静圧差が生じないようにして、部屋の気密の状況により換気が不十分になることを防ぐものである。
【００６１】
また、一時的に給気の風量を増加させる機能を持つことで、一例として夏場の夜間に、外気の冷えた空気を導入して室内を涼しくできる効果がある。
【００６２】
したがって、本体内管７の外側風路を給気風路９とすることで、給気ファン１５の外径を大きくすることができるため、給気モータ１６の回転数を増加することによって給気の風量を増加させやすく、給気送風機１４の送風効率を高くすることができる。
【００６３】
ここで、給気送風機１４と排気送風機１１を常時運転させる際は、一例として給気及び排気共に３０ｍ3／ｈの換気を実施して常時換気運転を行っており、例えば夏場の夜に外気温度が２６℃となり、室内温度が２８℃となって外気温度が室内温度より２℃以上低下した場合に給気量を増加させるようにし、その際に一例として給気の風量を常時換気運転時の２倍である６０ｍ3／ｈの給気を行うことで、おおよそ一人分の就寝時の発熱量と給気による外気冷房効果の収支が合致し、室内温度の上昇を抑える効果がある。
【００６４】
さらに、給気風路９の断面積は、排気風路８の断面積の２倍以上となるようにすることで、一例として常時換気運転の風量の２倍の風量を得るようにしても、通風抵抗の上昇を低減でき、給気送風機１４の送風効率を高くすることができる。
【００６５】
またここで、一例として内管接続管２４を別部品としたことには、壁厚みが住宅によって異なるため、施工の際に同時給排形換気扇２５が設置される壁厚みに対応して内管接続管２４の長さを調節する必要があるため、内管接続管２４を単管とすることで取り扱い性を良くし、長さを調節しやすくしたためである。しかし、設置される壁厚みが常に一定であり、内管接続管２４の長さの調節が不要な場合や、内管接続管２４を伸縮自在となっており、長さの調節が容易である場合は、必ずしも内管接続管２４は別部品としなくとも、本体内管７もしくはフード内管２２に結合されている構成としても良い。
【００６６】
またここで、一例として風洞パイプ２を別部品としているが、本体外管６とフード外管２１を接続することで、風洞パイプ２を省略する構成としても良い。
【００６７】
次に、同時給排形換気扇２５の施工について説明する。
【００６８】
一般に、住宅の壁面に設けられた貫通穴１に、風洞パイプ２が備え付けられた後、フード１８が風洞パイプ２の室外側に設置され、最後に本体３及び内管接続管２４を風洞パイプ２の室内側より挿入されるため、内管接続管２４と本体内管７及び内管接続管２４とフード内管２２が接続は風洞パイプ２の内部に位置するため、目視で接続状態を認知することができない。
【００６９】
よって、本発明の実施の形態１では、本体内管７と内管接続管２４の接続状態を認知する認知手段（図示せず）として、本体内管７に内管接続管２４を接続して保持できるように、円筒状の溝部２７を持つ保持部２８を備え、一例として溝部２７の外径は内管接続管２４の外径より２ｍｍ以上大きくし、溝部２７の内側面は溝部２７の入り口側に向かって内径が小さくなるように勾配を付け、溝部２７の入り口側の内径を内管接続管２４の内径より２〜５ｍｍ程度小さくし、溝部２７の奥側の内径を内管接続管２４の内径より１〜２ｍｍ程度大きくすることで、溝部２７に内管接続管２４を挿入すると、溝部２７の内側と内管接続管２４の内側が隙間無く嵌め合わせられつつ保持される。
【００７０】
これにより、本体３を風洞パイプ２の室内側から挿入する前に本体内管７の保持部２８に内管接続管２４を接続して保持させるため、目視や触覚により接続状態を認知することができる。
【００７１】
また、保持部２８に内管接続管２４を接続して保持した後に、風洞パイプ２の室内側から挿入し、内管接続管２４とフード内管２２の接続状態を認知する認知手段（図示せず）として、内管接続管２４の外径はフード内管２２の内径より例えば２〜５ｍｍ程度小さくすることで、内管接続管２４はフード内管２２に挿入される構成とし、フード内管２２の内側に認知音発生機構２９としての円周状のリブ３０を備え、リブ３０の内径は内管接続管２４の外径より例えば１ｍｍ程度小さくすることでフード内管２２に内管接続管２４を挿入すると、リブ３０と内管接続管２４が干渉して認知音を発生させることにより、内管接続管２４とフード内管２２との接続状態を聴感により認知することができる。
【００７２】
また、リブ３０を軸方向に複数配列することにより、フード内管２２に内管接続管２４を挿入していくにつれてリブ３０と内管接続管２４が繰り返し干渉するため、内管接続管２４に繰り返し抵抗がかかり、内管接続管２４をフード内管２２に挿入する際の抵抗の変化により触覚で接続状態を認知することも可能である。
【００７３】
これにより、施工する際に内管接続管２４と本体内管７、及び内管接続管２４とフード内管２２との接続箇所に隙間が生じることが無く、給気風路９と排気風路８との短絡が発生しないため、室内と室外との換気を確実に行うことができるという効果がある。
【００７４】
さらに、施工性を向上させるために、フード内管２２の端面には、フード内管２２の端面に向かって内径が拡大する一例として軸方向に対して３０度の勾配を持つテーパ部３１を備えることにより、風洞パイプ２の室内側より内管接続管２４が挿入される際、フード内管２２の端面に備えたテーパ部３１により内管接続管２４がフード内管２２の内側に案内されるため、内管接続管２４とフード内管２２の芯ずれを防止することで、内管接続管２４とフード内管２２を確実に接続することができる。
【００７５】
また、別の手段として内管接続管２４とフード内管２２との隙間量Ａを、本体外管６と風洞パイプ２との隙間量Ｂとフード外管２１と風洞パイプ２との隙間量Ｃの和よりも大きくしたものであり、Ａ＞Ｂ＋Ｃの関係であれば、本体外管６と風洞パイプ、及びフード外管と風洞パイプ２が偏心して設置されたとしても、最大で隙間量Ｂと隙間量Ｃの和だけ偏心するため、内管接続管２４とフード内管２２との隙間量Ａを隙間量Ｂと隙間量Ｃの和よりも大きくすることで、必ずフード内管２２に内管接続管２４が挿入できる位置となり、風洞パイプ２の室内側より内管接続管２４が挿入される際、内管接続管２４とフード内管２２を確実に接続することができる。
【００７６】
また、図２に示すように、内管接続管２４の長さが、本体内管７とフード内管２２までの距離よりも短い場合、内管接続管２４とフード内管２２が未接続となって隙間が生じ、給気風路９と排気風路８との短絡が生じてしまうため、これを防止するべく、内管接続管２４とフード内管２２の接続、未接続を検知する検知手段（図示せず）としての給気ファン回転数検知手段３３（一例としてロータリーエンコーダ）と、排気ファン回転数検知手段３４（一例としてロータリーエンコーダ）を備え、異常報知手段（図示せず）としての表示部３６（一例としてＬＥＤランプ）を備え、給気ファン回転数検知手段３３と排気ファン回転数検知手段３４からの回転数信号を受信する制御部３７としての例えばマイコンを備えることにより、給気ファン１５及び排気ファン１２の回転数の少なくとも一方が一定の範囲を超えた場合には、制御部３７により表示部３６に異常を報知するものである。
【００７７】
ここで、内管接続管２４とフード内管２２が未接続の状態である場合、給気風路９と排気風路８が短絡するため、短絡が生じない場合と比べて給気風路９及び排気風路８の通風抵抗が減少する。したがって、給気ファン１５及び排気ファン１２のファン形状がプロペラファンである場合は、通風抵抗が減少することによって回転数が上昇し、ファン形状がターボファンである場合は、通風抵抗が減少することによって回転数が低下するため、給気ファン１５及び排気ファン１２の回転数の変化を検知することにより、給気風路９と排気風路８の短絡の有無を検知することができるため、給気風路９と排気風路８の短絡の発生を防止でき、室内と室外との換気を確実に行うことができるという効果がある。
【００７８】
また、回転数の範囲については、給気及び排気風量、ファン形状、モータ特性によって様々であるため、各条件を吟味して適宜決定することが望ましい。
【００７９】
また、図３（ａ）及び図３（ｂ）に示すように、フード内管２２の内側から内部に向かって立設する三角形の板状の内側ダンパー３８と、フード内管２２の外側から外部に向かって立設する四角い板状の外側ダンパー３９を備え、内側ダンパー３８と外側ダンパー３９はフード内管２２の円周上で且つフード内管２２の軸方向に対して垂直となる同一のダンパー回転軸４０を有し、内側ダンパー３８と外側ダンパー３９が対となり、フード内管２２の円周上に等配に複数配置されている。また、内側ダンパー３８と外側ダンパー３９の動作は、図３（ａ）に示すように、内側ダンパー３８に外力が発生しない状態では、複数の内側ダンパー３８により、排気風路８が閉じられ、複数の外側ダンパー３９により給気風路９が一部閉じられるが、図３（ｂ）に示すように、内側ダンパー３８に内管接続管２４が接触すると、ダンパー回転軸４０を中心として内側ダンパー３８が室外側に向かって倒れながらフード内管２２に内管接続管２４が挿入され、内側ダンパー３８に合わせて外側ダンパー３９が室外側へ倒れ、内側ダンパー３８及び外側ダンパー３９の傾斜角度を望ましくは９０度とすることによりフード内管２２に沿うようにすることで、できる限り排気風路８及び給気風路９の断面積を狭くしないようにする構成となっている。
【００８０】
これにより、フード内管２２と内管接続管２４が未接続である場合、排気風路８は内側ダンパー３８によって閉ざされ、給気風路９は外側ダンパー３９によって閉ざされるため、給気風路９及び排気風路８の通風抵抗が上昇する。
【００８１】
したがって、給気ファン１５及び排気ファン１２のファン形状がプロペラファンである場合は、通風抵抗が上昇することによって回転数が低下し、ファン形状がターボファンである場合は、通風抵抗が上昇することによって回転数が上昇するため、給気ファン１５及び排気ファン１２の回転数の変化を検知することにより、給気風路９と排気風路８の短絡の有無を検知することができ、給気風路９と排気風路８の短絡の発生を防止でき、室内と室外との換気を確実に行うことができるという効果がある。
【００８２】
また、回転数の範囲については、給気及び排気風量、ファン形状、モータ特性によって様々であるため、各条件を吟味して適宜決定することが望ましい。
【００８３】
また、内管接続管２４の長さが本体内管７とフード内管２２までの距離より長い場合は、測定手段（図示せず）により、本体内管７とフード内管２２までの距離に合わせて調節することも可能である。
【００８４】
ここで、図４に示すように、測定手段（図示せず）としてフード内管２２の内部に内側に向かう凸状の位置決め板４２を備え、フード内管２２に内管接続管２４が挿入されると、内管接続管２４と位置決め板４２が接触し、内管接続管２４は軸方向に位置決めされる構成とし、本体外管６の表面に目盛り４３としての例えば１０ｍｍ刻みの縦縞模様を備えたことにより、室内側壁面から本体外管６の出しろを測定することで内管接続管２４の不要な長さを測定することができるため、内管接続管２４の長さを調節しやすく、内管接続管２４を取り付けて施工する際に内管接続管２４と本体内管７、及び内管接続管２４とフード内管２２を確実に接続することができ、接続箇所に隙間が生じることが無く、給気と排気との短絡が発生しない接続となり、室内と室外の換気を確実に行うことができるという効果がある。
【００８５】
また、図５に示すように内管接続管２４の長さを切断して調節する際に、内管接続管２４に円周状の薄肉部４４を軸方向に例えば１０ｍｍ刻みで複数備えることにより、切断しやすくなる上に、切断面が軸方向に対して垂直に切断することができ、フード内管２２に内管接続管２４を挿入する際にフード内管２２の内側面と内管接続管２４の外側面との重なり部分が確保でき、接続箇所に隙間が生じることが無く、給気と排気との短絡が発生しない接続となり、室内と室外の換気を確実に行うことができるという効果がある。
【００８６】
ここで、薄肉部４４は、内管接続管２４の肉厚を１００％とした場合、５０％以下の肉厚とすることで、薄肉部４４に刃物がかかりやすくなるため、容易に切断することができる。
【００８７】
また、図６に示すように、内管接続管２４の長さの調節手段として、内管接続管２４を複数繋ぎ合わせて構成する方法があり、それぞれの内管接続管２４の一方の端面には内管接続管２４の外径よりも例えば２ｍｍ程度大きい外径を持つ円筒とした雌部４５を備え、他方の端面には、雌部４５の内径よりも例えば２ｍｍ程度小さい外径とした雄部４６を備えたことにより、雌部４５と雄部４６を勘合させることにより着脱可能に繋ぎ合わせることで内管接続管の長さを調節できるものであり、これにより内管接続管２４を切断する必要が無く、作業が容易となる上に内管接続管２４の端面は軸方向に対して垂直となるため、フード内管２２に内管接続管２４を挿入する際にフード内管２２の内側面と内管接続管２４の外側面との重なり部分が確保でき、接続箇所に隙間が生じることが無く、給気と排気との短絡が発生しない接続となり、室内と室外の換気を確実に行うことができるという効果がある。
【００８８】
（実施の形態２）
本発明の実施の形態２は、実施の形態１と同一部分については同一番号を付し、詳細な説明は省略する。
【００８９】
本発明の実施の形態２は、本体内管７の保持部２８に内管接続管２４を接続しないまま本体３を室内側より風洞パイプ２に挿入して施工する、内管接続管２４の施工漏れを防止する施工漏れ防止手段（図示せず）の一例について説明する。
【００９０】
図７は本発明の実施の形態２の検知機構とストッパー機構を示す斜視断面図、図８（ａ）は本発明の実施の形態２の検知機構により内管接続管が検知された状態を示す断面図であり、図８（ｂ）は本発明の実施の形態２の検知機構により内管接続管が検知されない状態を示す断面図、図９（ａ）は本発明の実施の形態２の保持部に内管接続管が接続されない場合のリンク部材の状態を示す断面図であり、図９（ｂ）は本発明の実施の形態２の保持部に内管接続管が接続された場合のリンク部材の状態を示す断面図である。
【００９１】
図７に示すように、施工漏れ防止手段（図示せず）の一例として、フード内管２２の外周に備えられ、軸方向にスライド可能な半円状の干渉板４８を設置し、干渉板４８には内管接続管２４の挿入を検知する検知機構４９としての検知機構回転軸５０と干渉板４８の内側に向かって突出する爪部５１を備えた板状部材５２と、板状部材５２の爪部５１を立てるように引張りの力を与えるため、一端を干渉板４８に連結し、他端を板状部材５２に連結したばね５３としての例えば引張ばねを備え、干渉板４８のスライド動作を規制するためのストッパー機構５４としての一端を干渉板４８の内側に突出し、他端を検知機構４９と回転自在に連結したストッパー５５を備え、図８（ａ）に示すように検知機構４９としての爪部５１に内管接続管２４が接触すると、検知機構回転軸５０を中心に板状部材５２が室外側へ倒れると同時にストッパー機構５４としてのストッパー５５が連動して干渉板のスライド動作の規制を解除されるため、干渉板４８は本体内管７に接触しながら干渉板４８がスライドして施工される。一方、図８（ｂ）に示すように内管接続管２４を取り付けないまま施工する場合は、本体内管７と干渉板４８が接触しても、ストッパー機構５４により干渉板４８は軸方向に規制されているため、スライドすることができず、本体３を風洞パイプ２の室内側から挿入した場合は、本体３が室内側壁面に設置できず、また、フード１８を風洞パイプ２の室外側に連通させて室外側壁面に設置できない、すなわち本体３もしくはフード１８を壁面に密着するように施工できないため、内管接続管２４を取り付けないまま施工することが無く、接続箇所に隙間が生じて給気と排気が短絡することを未然に防止できる。
【００９２】
また、施工漏れ防止手段（図示せず）の別の一例として、図９（ａ）及び図９（ｂ）に示すように保持部２８に内管接続管２４を挿入されると接触する接触部５６と、本体外管６の外側に向かって長尺状に伸びる干渉部５７を持つリンク部材５８を備え、リンク部材５８は保持部２８の下側近傍に本体内管７の軸方向に対して垂直なリンク回転軸５９を備えたことにより、接触部５６が内管接続管２４と接触しない場合は本体外管６の外周に向かって干渉部５７が突出し、接触部５６が内管接続管２４と接触した場合はリンク回転軸５９を中心に接触部５６と干渉部５７が回転して干渉部５７が本体外管６の内側に収まる構成としたものであり、図９（ａ）に示すように内管接続管２４を保持部２８に取り付けないまま施工する場合は、本体外管６の外周に向かって干渉部５７が突出するため、本体３を室内側から風洞パイプ２に挿入する際に、干渉部５７が風洞パイプ２と接触し、本体３を風洞パイプ２に挿入できなくなる。一方、図９（ｂ）に示すように保持部２８に内管接続管２４を接続した場合は、干渉部５７が本体外管６の内側に収まるため、本体３を室内側から風洞パイプ２に挿入して施工することができる。よって、内管接続管２４を取り付けないまま本体３を室内側から風洞パイプ２に挿入して施工することが無く、接続箇所に隙間が生じて給気と排気が短絡することを未然に防止できる。
【００９３】
（実施の形態３）
本発明の実施の形態３は、実施の形態１及び２と同一部分については同一番号を付し、詳細な説明は省略する。
【００９４】
本発明の実施の形態３は、内管接続管２４を伸縮自在に構成した一例について説明する。
【００９５】
図１０は本発明の実施の形態３の伸縮自在なスライド管の構成を示す側面断面図、図１１は本発明の実施の形態３の伸縮自在な蛇腹及び固定部の構成を示す側面断面図である。
【００９６】
図１０に示すように、内管接続管２４は外径の異なる複数のダクト６０を組み合わせ、且つそれぞれのダクト６０の一方の端面には外側に向かう円周状の外側フランジ６１を備え、ダクトの他端の端面には内側に向かう円周状の内側フランジ６２を備えることにより、ダクト６０を嵌め合わせた場合に外側フランジ６１と内側フランジ６２が干渉することによりダクト６０が抜けないように構成し、ダクト６０をスライドさせて伸縮自在に構成したものであり、内管接続管２４をあらかじめ伸ばした状態で施工を行うことで本体内管７とフード内管２２までの距離に合わせて内管接続管２４が縮んで長さが調節されるため、内管接続管２４を取り付けて施工する際に内管接続管２４と本体内管７、及び内管接続管２４とフード内管２２を確実に接続することができ、接続箇所に隙間が生じることが無く、給気と排気との短絡が発生しない接続となり、室内と室外の換気を確実に行うことができるという効果がある。
【００９７】
また、別の一例として、内管接続管２４に伸縮自在な蛇腹６３を備え、本体内管７及びフード内管２２との接続を固定して接続できる固定部６４を備えたものであり、固定部６４として、フード内管２２の内側に突起部６５を備え、内管接続管２４の室外側端面に突起部６５の幅よりも大きな鍵状のスリット６６を備えたことにより、内管接続管２４とフード内管２２を固定する際は、フード内管２２の突起部６５と内管接続管２４のスリット６６の位置を合わせて挿入した後、内管接続管２４を回転させることにより、鍵状のスリット６６に突起部６５を嵌め合わせて位置決めされ、固定されるように構成したものである。また、一方で、本体内管７と内管接続管２４との接続は、本体内管７に備えた保持部２８により、接続しながら保持されて固定する構成としている。
【００９８】
これにより、内管接続管２４をあらかじめ伸ばした状態で、保持部２８により内管接続管２４と本体内管７を接続し、固定部６４により内管接続管２４とフード内管２２を接続した後に本体３を室内側から風洞パイプ２に挿入して施工を行うことで本体内管７とフード内管２２までの距離に合わせて内管接続管２４の蛇腹６３が縮んで長さが調節されるため、内管接続管２４と本体内管７、及び内管接続管２４とフード内管２２を確実に接続することができ、接続箇所に隙間が生じることが無く、給気と排気との短絡が発生しない接続となり、室内と室外の換気を確実に行うことができるという効果がある。
【産業上の利用可能性】
【００９９】
二重管により独立した２つの風路を形成して換気する換気扇の用途として容易に適用でき、また、閉空間内で二重管の接続を行う用途などにも適用できる。
【図面の簡単な説明】
【０１００】
【図１】本発明の実施の形態１の同時給排形換気扇の構成を示す側面断面図
【図２】同同時給排形換気扇の本体施工時を示す斜視断面図
【図３】同内側ダンパー及び外側ダンパーの状態を示す図（（ａ）同内側ダンパー及び外側ダンパーが開いた状態を示す斜視断面図、（ｂ）同内側ダンパー及び外側ダンパーが閉じた状態を示す斜視断面図）
【図４】同測定手段を示す側面断面図
【図５】同内管接続管の薄肉部を示す断面図
【図６】同複数の内管接続管の着脱状態を示す断面図
【図７】本発明の実施の形態２の検知機構とストッパー機構を示す斜視断面図
【図８】同検知機構による内管接続管の検知の状態を示す図（（ａ）同検知機構により内管接続管が検知された状態を示す断面図、（ｂ）同検知機構により内管接続管が検知されない状態を示す断面図）
【図９】（ａ）同保持部に内管接続管が接続されない場合のリンク部材の状態を示す断面図（ｂ）同保持部に内管接続管が接続された場合のリンク部材の状態を示す断面図
【図１０】本発明の実施の形態３の伸縮自在なスライド管の構成を示す側面断面図
【図１１】同伸縮自在な蛇腹及び固定部の構成を示す側面断面図
【図１２】従来の二重管を用いた換気装置の一例を示す断面図
【符号の説明】
【０１０１】
２    風洞パイプ
３    本体
４    室内排気口
５    室内給気口
６    本体外管
７    本体内管
８    排気風路
９    給気風路
１１  排気送風機
１２  排気ファン
１３  排気モータ
１４  給気送風機
１５  給気ファン
１６  給気モータ
１８  フード
１９  室外排気口
２０  室外給気口
２１  フード外管
２２  フード内管
２３  短絡防止手段
２４  内管接続管
２５  同時給排形換気扇
２８  保持部
２９  認知音発生機構
３１  テーパ部
３３  給気ファン回転数検知手段
３４  排気ファン回転数検知手段
３６  表示部
３８  内側ダンパー
３９  外側ダンパー
４０  ダンパー回転軸
４２  位置決め板
４３  目盛り
４４  薄肉部
４５  雌部
４６  雄部
４８  干渉板
４９  検知機構
５４  ストッパー機構
５６  接触部
５７  干渉部
５８  リンク部材
５９  リンク回転軸
６０  ダクト
６１  外側フランジ
６２  内側フランジ
６３  蛇腹
６４  固定部
【図１】
0005119897.tif 000002
【図２】
0005119897.tif 000003
【図３】
0005119897.tif 000004
【図４】
0005119897.tif 000005
【図５】
0005119897.tif 000006
【図６】
0005119897.tif 000007
【図７】
0005119897.tif 000008
【図８】
0005119897.tif 000009
【図９】
0005119897.tif 000010
【図１０】
0005119897.tif 000011
【図１１】
0005119897.tif 000012
【図１２】
0005119897.tif 000013